(57)【要約】【課題】複数の中央演算処理装置が実装されたバックボードの交換を迅速化する、バックボードの脱着冶具、その脱着治具が取付可能なバックボード、そのバックボードを備えるサーバ、若しくは、バックボードの交換方法が求められている。【解決手段】バックボードの脱着治具は、バックボードの背面側に離間してセットされる受枠と、前記受枠の底面上に設けられ、前記バックボードの背面に接する複数の受台と、前記受枠の側部に設けられ、前記バックボードの周囲に形成されたバックボード枠と接することで該受枠を該バックボードに固定する複数の押さえ棒と、を備えている。【選択図】図１０
2015056581.tif 000002
【特許請求の範囲】
【請求項１】
バックボードの背面側に離間してセットされる受枠と、
前記受枠の底面上に設けられ、前記バックボードの背面に接する複数の受台と、
前記受枠の側部に設けられ、前記バックボードの周囲に形成されたバックボード枠と接することで該受枠を該バックボードに固定する複数の押さえ棒と、
を備える、ことを特徴とするバックボードの脱着治具。
【請求項２】
前記複数の受台の高さは、前記バックボードの前記背面に実装される複数のコネクタの高さよりも高いことを特徴とする請求項１に記載の脱着治具。
【請求項３】
前記複数の押さえ棒は、前記バックボード枠の側面に接することを特徴とする請求項１又は２に記載の脱着治具。
【請求項４】
前記複数の押さえ棒は、前記バックボード枠の上下左右の前記側面に対向可能に配置されることを特徴とする請求項１〜３のいずれか一に記載の脱着治具。
【請求項５】
前記バックボードの前面には複数の中央演算処理装置が実装されていることを特徴とする請求項１〜４のいずれか一に記載の脱着治具。
【請求項６】
前記バックボードの前面に実装され、前記複数の中央演算処理装置が挿入される複数のコネクタは、複数の中央演算処理装置の前記複数のコネクタに対する挿入深度分、前記受枠から突出していることを特徴とする請求項１〜５のいずれか一に記載の脱着治具。
【請求項７】
前記複数の受台の先端は絶縁性であることを特徴とする請求項１〜６のいずれか一に記載の脱着治具。
【請求項８】
請求項１〜７のいずれか一に記載の前記脱着治具が取付可能なバックボード。
【請求項９】
請求項８に記載の前記バックボードを備えることを特徴とするサーバ。
【請求項１０】
バックボードの脱着治具をサーバに取り付ける工程と、
前記脱着治具を前記バックボードの背面側に向かってスライドさせ、前記脱着治具の受枠の底面上に設けられた複数の受台を、前記バックボードの背面に接触させる工程と、
前記受枠の側部に設けられた複数の押さえ棒を、前記バックボードの周囲に形成されたバックボード枠に接触させ、該脱着工具を前記バックボード枠に固定する工程と、
前記脱着工具と前記バックボードを共に、前記サーバから取り外す工程と、
を含む、バックボードの交換方法。
【発明の詳細な説明】
【技術分野】
【０００１】
本発明は、バックボードの脱着冶具、特に、基盤両面にコネクタが実装されるバックボードの脱着冶具に関し、又、その脱着治具が取付可能なバックボードおよびそのバックボードを備えるサーバ、若しくは、バックボードの交換方法に関する。
【背景技術】
【０００２】
バックボード交換前、サーバ全体の電源をオフすることによって、このサーバを使用しているシステムは停止する。電源停止時間を短縮するため、バックボード交換作業の迅速化が求められている。
【０００３】
従来、複数の中央演算処理装置を備えたサーバに障害が発生したとき、バックボードが被疑部品と判断された場合には、以下の手順により、バックボード交換が行われている。
【０００４】
［取り外し方法］
まず、バックボードに実装されている複数の中央演算処理装置の電源をオフする。
次に、バックボードから、ＡＣケーブルを取り外す。
次に、バックボードから、バックボード前面に実装されている複数の中央演算処理装置を一枚ずつ外す。
次に、バックボードから、バックボード背面に実装されているファン部、ルータ部、サーバの制御部、ビデオ部、電源部、およびブランクカバーを取り外す。
次に、サーバ（ラック）から、リアケージをスライドさせながら外す。
最後に、バックボードをサーバから外す。
【０００５】
［取り付け方法］
まず、バックボードを、サーバに取り付ける。
次に、サーバに、リアケージをスライドさせながら取り付ける。
次に、バックボード背面の電源部、ビデオ部、サーバの制御部、ルータ部、ファン部、およびブランクカバーを取り付ける。
最後に、バックボード前面に複数の中央処理演算装置を一枚ずつ実装する。
【０００６】
また、特許文献１には、複数のバックボードを同時にまとめて、サーバ側から取り外すための取外し治具が提案されている。
【先行技術文献】
【特許文献】
【０００７】
【特許文献１】実公昭５８−１３３７７号公報
【発明の概要】
【発明が解決しようとする課題】
【０００８】
以下の分析は、本発明によって与えられたものである。
【０００９】
従来のバックボード交換方法によれば、バックボードをサーバから取り外す前に、バックボードが撓まないよう、バックボードから複数の中央演算処理装置を一枚ずつ取り外す工程を要しているため、バックボードの取り外しに手間が掛かっている。また、新しいバックボードをサーバに取り付けた後には、バックボードが撓まないよう、バックボードに複数の中央演算処理装置を一枚ずつ実装する必要があるため、接続確認に手間が掛かったり、誤実装が発生したりするおそれがある。
【００１０】
なお、特許文献１には、中央演算処理装置及びそのバックボードへの実装に関する記載がない。
【００１１】
かくして、複数の中央演算処理装置が実装されたバックボードの交換を迅速化する、バックボードの脱着冶具、その脱着治具が取付可能なバックボード、そのバックボードを備えるサーバ、若しくは、バックボードの交換方法が求められている。
【課題を解決するための手段】
【００１２】
第１の視点において、バックボードの脱着治具は、バックボードの背面側に離間してセットされる受枠と、前記受枠の底面上に設けられ、前記バックボードの背面に接する複数の受台と、前記受枠の側部に設けられ、前記バックボードの周囲に形成されたバックボード枠と接することで該受枠を該バックボードに固定する複数の押さえ棒と、を備えている。  
【００１３】
第２の視点において、バックボードは、第１の視点の脱着治具が取付可能である。
【００１４】
第３の視点において、サーバは、第２の視点のバックボードを備える。
【００１５】
第４の視点において、バックボードの交換方法は、バックボードの脱着治具をサーバに取り付ける工程と、前記脱着治具を前記バックボードの背面側に向かってスライドさせ、前記脱着治具の受枠の底面上に設けられた複数の受台を、前記バックボードの背面に接触させる工程と、前記受枠の側部に設けられた複数の押さえ棒を、前記バックボードの周囲に形成されたバックボード枠に接触させ、該脱着工具を前記バックボード枠に固定する工程と、前記脱着工具と前記バックボードを共に、前記サーバから取り外す工程と、を含んでいる。
【発明の効果】
【００１６】
複数の中央演算処理装置が実装されたバックボードの交換を迅速化する、バックボードの脱着冶具、その脱着治具が取付可能なバックボード、そのバックボードを備えるサーバ、若しくは、バックボードの交換方法が提供される。
【図面の簡単な説明】
【００１７】
【図１】実施形態１に係るバックボードの前面図である。
【図２】図１に示したバックボードの背面図である。
【図３】図１に示したバックボードを備えるサーバの背面図である。
【図４】図３に示したサーバの上面図である。
【図５】図３に示したサーバの縦断面図（側面から視た図）である。
【図６】実施形態１に係る脱着治具と、図１に示したバックボード前面に配置されている複数の中央演算処理装置コネクタとの位置関係を示す図である。
【図７】図６に示した脱着治具と、図１に示したバックボード背面に配置されている他のコネクタとの位置関係を示す図である。
【図８】図６に示した脱着治具の前面図である。
【図９】図６に示した脱着治具の背面図である。
【図１０】図６に示した脱着治具を、図１に示したバックボードに取り付けた状態を示す断面図である。
【図１１】実施形態に係るバックボード交換方法の概要を説明するフローチャートである。
【図１２】比較例に係るバックボード交換方法を説明するフローチャートである。
【図１３】図１２に引き続き、比較例に係るバックボード交換方法を説明するフローチャートである。
【図１４】図１１に示した実施形態に係るバックボード交換方法の詳細を説明するフローチャートである。
【図１５】図１４に引き続き、実施形態に係るバックボード交換方法を説明するフローチャートである。
【発明を実施するための形態】
【００１８】
形態１は、第１の視点に記載のとおりである。
【００１９】
形態２において、前記複数の受台の高さは、前記バックボードの前記背面に実装される複数のコネクタの高さよりも高い。
【００２０】
形態３において、前記複数の押さえ棒は、前記バックボード枠の側面に接する。
【００２１】
形態４において、前記複数の押さえ棒は、前記バックボード枠の上下左右の前記側面に対向可能に配置される。
【００２２】
形態５において、前記バックボードの前面には複数の中央演算処理装置が実装されている。
【００２３】
形態６において、前記バックボードの前面に実装され、前記複数の中央演算処理装置が挿入される複数のコネクタは、複数の中央演算処理装置の前記複数のコネクタに対する挿入深度分、前記受枠から突出している。
【００２４】
形態７において、前記複数の受台の先端は絶縁性である。
【００２５】
形態８は、第２の視点に記載のとおりである。
【００２６】
形態９は、第３の視点に記載のとおりである。
【００２７】
形態１０は、第４の視点に記載のとおりである。
【００２８】
本発明の一実施形態の概要について、図面を参照して説明する。なお、この概要に付記した図面参照符号は、理解を助けるための一例として各要素に便宜上付記したものであり、本発明を図示の態様に限定することを意図するものではない。
【００２９】
図８又は図１０に示す脱着治具２００は、特に、前面に複数の中央演算処理装置１ａ等（図１参照）が実装されたバックボード１００の交換に好適である。図１０を参照すると、バックボード１００の脱着治具２００は、バックボード１００の背面側に離間してセットされる受枠２０１と、受枠２０１の底面上に設けられ、バックボード１００の背面に接する複数の受台２０２等と、受枠２０１の側部に設けられ、バックボード１００の周囲に形成されたバックボード枠１０１と接することで受枠２０１をバックボード１００に固定する複数の押さえ棒２１６等と、を備えている。
【００３０】
図１４を参照すると、上記脱着治具２００を用いたバックボード１００の交換方法は、バックボード１００の脱着治具２００をサーバ１（図５参照）に取り付ける工程（ステップＤ１）と、脱着治具２００をバックボード１００の背面側に向かってスライドさせ、脱着治具２００の受枠２０１の底面上に設けられた複数の受台２０２等を、バックボード１００の背面に接触させる工程（ステップＤ２）と、受枠２０１の側部に設けられた複数の押さえ棒２１６〜２２３を、バックボード１００の周囲に形成されたバックボード枠１０１に接触させ、脱着工具２００をバックボード枠１０１に固定する工程（ステップＤ３）と、脱着工具２００とバックボード１００を共に、サーバ１から取り外す工程（ステップＤ４）と、を含んでいる。脱着工具２００およびとバックボード１００をまとめてサーバ１から取り外す際、この取り外しと同時に、サーバ１側に支持されている複数の中央演算処理装置をバックボード１００からまとめて一度に抜くことができる。
【００３１】
バックボード１００を交換する際、バックボード１００に脱着治具２００が取り付けられることによって、バックボード１００の剛性が高められ、バックボード１００を取り外す際のバックボード１００の撓みが減少する。このため、バックボード１００の取り外しと同時に、バックボード１００から一度にまとめて複数の中央演算処理装置１ａ等を外すことができる。また、新しいバックボード１００に複数の中央演算処理装置１ａを実装する際には、一度にまとめて複数の中央演算処理装置１ａ等を接続することができるため、接続確認に手間が掛からず、誤実装も防止される。かくして、複数の中央演算処理装置１ａが実装されたバックボード１００の交換が迅速化される。
【００３２】
また、脱着治具２００は、複数の受台２０２等と、複数の押さえ棒２１６等によって、バックボード１００の背面および側面からバックボードを支持することによって、脱着治具とバックボード１００の前面に実装されている複数の中央演算処理装置１ａ等とが干渉することなく、脱着治具２００をバックボード１００に確実に取り付けることができる。また、複数の受台２０２等の高さを、バックボード１００の背面に実装されているコネクタの高さに応じて設定することによって、脱着治具２００とバックボード１００の背面に実装されているコネクタとの干渉も防止される。
【００３３】
脱着治具２００がバックボード枠１０１を押さえる（固定する）ためには、押さえ棒２１６等がしっかりと受枠２０１に固定されていて動かない（ずれない）こと、すなわち、押さえ棒２１６等の接触面がバックボード枠１０１上の被接触面上で滑らないことが望まれる。また、押さえ棒２１６等は、受枠２０１に嵌めることができて容易に外れないものが望まれる。よって、押さえ棒２１６等の材質、特に、その接触面の材質はゴムや樹脂などの弾性体であることが望ましい。また、受枠２０１にねじ切り部を形成して、押さえ棒２１６等にはこのねじ切り部とねじ結合するねじを用い、ねじ先端にゴムや樹脂などの弾性体を施してもよい。押さえ棒２１６等をねじ込んでいくことで、バックボード枠１０１を押さえられる。このときのねじの材質は特に問わない。また、押さえ棒２１６等をバネの力で押さえるこむ方法でもよい。
【００３４】
続いて、本発明の一実施形態について図面を参照して詳細に説明する。なお、以降の記述において、多くの具体的事項は、説明のため、本発明の理解を助けるためになされたものである。
【実施形態１】
【００３５】
図４を参照すると、サーバ１はバックボード１００を備えている。図６を参照すると、バックボード１００の前面には、複数のコネクタ１０２〜１１７が設けられている。図７を参照すると、バックボード１００の背面には、複数のコネクタ１１８〜１４３が設けられている。図６又は図７を参照すると、バックボード１００の外周部には、例えば、金属製のバックボード枠１０１が設けられている。バックボード枠１０１は、バックボードの剛性を高めている。バックボード１００は、図７に示す複数のネジ１４４〜１５３によって、サーバ１に固定されている。
【００３６】
図１および図５を参照すると、バックボード１００の前面には、図６に示す複数のコネクタ１０２〜１１７を介して複数の中央演算処理装置１ａ〜１ｐが実装され、さらに、ＬＣＤ部２が実装されている。ＬＣＤ部２は、複数の中央演算処理装置１ａ〜１ｐの状態を表示する。
【００３７】
図２および図５を参照すると、バックボード１００の背面には、図７に示す複数のコネクタ１１８〜１４３を介して、複数のファン部３ａ〜３ｈ、複数のルータ部４ａ〜４ｈ、複数の制御部５ａ、５ｂ、ビデオ部６、複数の電源部７ａ〜７ｆおよび複数のブランクカバー８ａ、８ｂが実装されている。
【００３８】
なお、複数のファン部３ａ〜３ｈ、複数のルータ部４ａ〜４ｈおよび複数の制御部５ａ、５ｂは、冗長機能を有している。これによって、例えば一個のファン部３ａが故障した場合でも、複数の中央演算処理装置１ａ〜１ｐの動作を停止させることなく、サーバ１を稼動させることができる。
【００３９】
なお、複数のルータ部４ａ〜４ｈは、複数の中央演算処理装置１ａ〜１ｐのネットワーク機能を有している。ルータ部４ａは中央演算処理装置１ａ、１ｂ用、ルータ部４ｂは中央演算処理装置１ｃ、１ｄ用、ルータ部４ｃは中央演算処理装置１ｅ、１ｆ用、ルータ部４ｄは中央演算処理装置１ｇ、１ｈ用、ルータ部４ｅは中央演算処理装置１ｉ、１ｊ用、ルータ部４ｆは中央演算処理装置１ｋ、１ｌ用、ルータ部４ｇは中央演算処理装置１ｍ、１ｎ用、ルータ部４ｈは中央演算処理装置１ｏ、１ｐ用である。
【００４０】
なお、複数の制御部５ａ、５ｂは、複数の中央演算処理装置１ａ〜１ｐのそれぞれの動きを制御する機能を有している。複数の制御部５ａ、５ｂも冗長機能を有しており、二つの制御部５ａ、５ｂが常時、同期をとりあっている。
【００４１】
なお、ビデオ部６には、ＣＲＴやＬＣＤ等の表示系のデバイスをつなぐポートを実装することができ、キーボードおよびマウス等の入出力装置を接続することができる。
【００４２】
なお、ブランクカバー８ａ、８ｂはカバーを外すと空洞になっており、これによって、サーバ１内の温度が適正に保たれ、サーバ１全体の空調が整えられる。
【００４３】
図３を参照すると、サーバ１の背部にはリアケージ９が設けられ、リアケージ９の左右には、取っ手１０、１１が設けられている。
【００４４】
図８および図９を参照して、バックボード１００の脱着治具２００は、バックボード１００の背面側に離間してセットされる受枠２０１と、受枠２０１の底面上に設けられ、バックボード１００の背面に接する複数の受台２０２〜２０８と、受枠２０１の側部に設けられ、バックボード１００の周囲に形成されたバックボード枠１０１と接することで受枠２０１をバックボード１００に固定する複数の押さえ棒２１６〜２２３と、を備えている。受枠２０１は、バックボード１００に直接接触することはないが、バックボード１００が撓まないよう確実に支持するため、剛性の高いものが望まれる。また、脱着治具２００ないし受枠２０１は、図３を参照して、サーバ１を収納するラック側部材、例えば、取っ手１０，１１に装着することができる。  
【００４５】
なお、脱着治具２００は金属製である。脱着治具２００の上部および下部には、図３のリアケージ９と比較して、バックボード枠押さえ棒２１６〜２２３が動かせる分の隙間がある。脱着治具２００の左右寸法は、リアケージ９と同寸法である。
【００４６】
バックボード受枠２０１は、バックボード枠１０１と同寸法であって、バックボード枠を受ける台となる。
【００４７】
複数の受台２０２〜２０８の高さ２１５は、バックボード１００の背面に実装されている複数のコネクタ１１８〜１４３の高さよりも高く設定されている。これによって、脱着治具２００をバックボード１００に取り付けた際、受枠２０１と複数のコネクタ１１８〜１４３の干渉が防止される。複数の受台２０２〜２０８は、バックボード１００の背面と対向する受枠の前面上で、バックボード１００の背面に実装されている複数のコネクタ１１８〜１４３と重ならないよう、且つ、同背面上の回路パターンを傷つけないよう配置される。複数の受台２０２〜２０８の先端は絶縁性である。バックボード受台２０２〜２０８のバックボード１００との接触部には、絶縁性のゴム２１４で被覆され、静電気の発生や、バックボード１００との接触による損傷を防止している。
【００４８】
複数の押さえ棒２１６〜２２３は、脱着治具２００を取り外し可能にバックボード１００に取り付ける際に操作される。複数の押さえ棒２１６〜２２３は、バックボード枠１０１の側面に接することができる。複数の押さえ棒２１６〜２２３は、バックボード枠１０１の上下左右の側面に対向可能に配置される。
【００４９】
複数の押さえ棒２１６〜２２３は、それらの角の２面がバックボード枠１０１に接するよう形成されている。なお、図示では、複数の押さえ棒２１６〜２２３は円柱であるが、直方体でもその他の形状でも良い。なお、図示では、８本の複数の押さえ棒２１６〜２２３が設けられているが、バックボード１００をサーバ１から取り出す際に、バックボード１００に加わる負荷を均等にできるものであれば何本でも良い。
【００５０】
脱着治具２００は、受枠２０１の外周部に設けられ、バックボード１０１を有するサーバ１に設けられた取っ手１０、１１にスライド自在に装着される被案内部を備えている。
【００５１】
さらに、脱着治具２００は、治具取っ手２０９〜２１２を有している。治具取っ手２０９〜２１２は、バックボード１００に取り付けられた脱着治具２００を、サーバ１に脱着する際に使用される。
【００５２】
図１０を参照して、脱着治具２００のバックボード１００に対する取り付け状態を説明する。バックボード１００の前面に実装された複数のコネクタ１０２〜１１７は、段差（突出寸法）２１３をもって、受枠２０１から突出している。なお、段差２１３は、中央演算処理装置１ａ〜１ｐの挿入深度（実装深度）と同一の値になるよう設定されている。
すなわち、複数のコネクタ１０２〜１１７は、複数の中央演算処理装置１ａ〜１ｐの複数のコネクタ１０２〜１１７に対する挿入深度分、受枠２０１から突出している。
【００５３】
次に、脱着治具２００を用いたバックボードの交換方法について説明する。まず図１１を参照して、サーバ１の障害発生時、故障発生からバックボード１００の交換に至るまでの全体の流れを説明する。
【００５４】
サーバ１の障害が発生すると（ステップＡ１）、保守員は、サーバ１の診断を行い、故障箇所の特定を行う（ステップＡ２）。バックボード１００が故障している判定とされると（ステップＡ３）、保守員は、脱着治具２００を用いて、バックボード１００の交換を行い（ステップＡ４）、サーバ１の正常性確認を行う（ステップＡ５）。
【００５５】
脱着治具２００を用いたバックボードの交換方法について詳細に説明する。まず、比較例に係る交換方法について説明する。
【００５６】
［比較例］
図１２を参照すると、複数の中央演算処理装置１ａ〜１ｐの電源をオフし、電源部７ａ〜７ｆに実装されているＡＣケーブルを外す（ステップＢ１）。
【００５７】
バックボード１００から複数の中央演算処理装置１ａ〜１ｐを一枚ずつ取り外す（ステップＢ０）。
【００５８】
バックボード１００の背面から、ファン部３ａ〜３ｈを取っ手を持ちながら取り外す（ステップＢ２）。バックボード１００の背面から、ルータ部４ａ〜４ｈをネットワークコネクタ部に気をつけながら取り外す（ステップＢ３）。バックボード１００の背面から、サーバ１の制御部５ａ、５ｂ、ビデオ部６、電源部７ａ〜７ｆおよびブランクカバー８ａ、８ｂを取り外す(ステップＢ４〜Ｂ７)。
【００５９】
サーバ１からリアケージ９を取り外す（ステップＢ８）。サーバ１からバックボード１００を取り外す（ステップＢ９）。
【００６０】
図１３を参照して、サーバ１に、新しいバックボード１００を取り付け、次に、リアケージ９を取り付ける（ステップＣ１〜Ｃ２）。
【００６１】
サーバ１に、ブランクカバー８ａ、８ｂ、ファン部３ａ〜３ｈ、ルータ部４ａ〜４ｈ、制御部５ａ、５ｂ、ビデオ部６、および、電源部７ａ〜７ｆを取り付ける（ステップＣ３〜Ｃ８）。
【００６２】
バックボード１００の前面に、複数の中央演算処理装置１ａ〜１ｐを一枚ずつ取り付ける（ステップＣ０）。
【００６３】
比較例に係るバックボード１００の交換方法によれば、バックボード１００をサーバ１から取り外す前に、バックボード１００から、バックボード１００の前面に実装された複数の中央演算処理装置１ａ〜１ｐを一枚ずつ取り外す工程（ステップＢ０参照）を要しているため、バックボード１００の取り外しに時間が掛かっている。また、新しいバックボード１００に複数の中央演算処理装置１ａ〜１ｐを一枚ずつ取り付けているため、接続確認に手間が掛かったり、誤実装が発生したりするおそれがある。これらの理由は、バックボード１００の剛性が低いためである。
【００６４】
次に、実施形態に係る脱着治具２００を用いたバックボード１００の交換方法について説明する。
【００６５】
実施形態に係る交換方法では、前工程として、図１２中のステップＢ１、Ｂ２〜Ｂ８の工程が実行される。すなわち、実施形態に係る交換方法において、図１２のステップＢ０の工程はない。
【００６６】
次に、図１４を参照して、保守員は、サーバ１に脱着冶具２００を取り付ける（ステップＤ１）。サーバ１には左右に取っ手１０、１１があり、保守員は、取っ手１０、１１に脱着冶具２００を掛け、冶具取っ手２０９〜２１２を持ちながら、脱着冶具２００をバックボード枠１０１にあたるまでスライドさせる。なお、冶具取っ手２０９〜２１２の持ち方は、冶具取っ手２０９と冶具取っ手２１２を持つ、あるいは冶具取っ手２１０と冶具取っ手２１１を持つ、の二通りがあり、脱着冶具２００に均一な負荷をかけてスライドさせる。
【００６７】
次に、保守員は、脱着治具２００をバックボード枠２０１に取り付ける（ステップＤ２）。すなわち、保守員は、バックボード押さえ棒２１６〜２２３をバックボード枠２０１に接触するまで挿入し、バックボード押さえ棒２１６〜２２３およびバックボード枠２０１を介して、脱着治具２００をバックボード枠２０１に取り付ける。脱着治具２００は、複数の受台２０２等と、複数の押さえ棒２１７等によって、バックボード１００の背面および側面からバックボード１００を支持する。
【００６８】
次に、保守員は、バックボード１００と一体化された脱着治具２００を、例えば、冶具取っ手２０９等を持ちながらスライドさせ、バックボード１００を脱着治具２００と共にサーバ１から取り外す（ステップＤ３）。なお、冶具取っ手２０９の持ち方は、ステップＤ２と同様の持ち方でよい。
【００６９】
最後に、保守員は、ネジ１４４〜１５３を外し、バックボード１００からバックボード枠１０１を外す（ステップＤ４）。
【００７０】
続いて、脱着治具２００を用いた新しいバックボード１００の取り付け工程を説明する。図１５を参照して、ネジ１４４〜１５３を用いて、バックボード１００にバックボード枠１０１を取り付けする（ステップＥ１）。
【００７１】
ステップＤ２と同様に、保守員は、脱着治具２００をバックボード枠２０１に取り付ける（ステップＥ２）。
【００７２】
保守員は、取っ手１０、１１に脱着冶具２００を掛け、冶具取っ手２０９〜２１２を持ちながら、脱着冶具２００に取り付けられたバックボード１００をサーバ１内の所定位置までスライドさせる。これによって、バックボード１００の前面に実装された複数のコネクタ１０２〜１１７に、サーバ１側、例えば、複数の中央演算処理装置１ａ〜１ｐ間に設置されたシャーシに支持されていた複数の中央演算処理装置１ａ〜１ｐが一度にまとめて接続される（ステップＥ３）。
【００７３】
複数の中央演算処理装置１ａ〜１ｐの挿入具合は、図１０に示した、複数のコネクタ１０２〜１１７と脱着冶具２００の表面の段差２１３によって設定されているため、脱着治具２００がスライドできなくなった時点が、最適の挿入深度となっている。
【００７４】
最後に、保守員は、バックボード押さえ棒２１６〜２２３を脱着冶具２００の外側に向けて引き、バックボード押さえ棒２１６〜２２３をバックボード枠１０１から離間させ、脱着治具２００をスライドさせサーバ１から取り外す（ステップＥ４）。
【００７５】
実施形態に係る交換方法によれば、バックボード１００の保守交換作業の迅速化および、バックボード１００に実装されている搭載モジュールの誤実装のリスク低減をはかることができる。また、脱着冶具２００を使用してバックボード１００を実装する際に、複数の中央演算処理装置１ａ〜１ｐと複数のコネクタ１０２〜１１７の嵌合具合を最適化できるため、差し込みすぎによる複数の中央演算処理装置１ａ〜１ｐ又は複数のコネクタ１０２〜１１７の破損、或いは、嵌合不良に起因する接触不良によって、中央演算処理装置１ａ等が認識できなくなる不具合を防止でき、作業品質の均一化が図れる。
【００７６】
以上、本発明の一実施形態等を説明したが、本発明は、上記した一実施形態等に限定されるものではなく、本発明の基本的技術的思想を逸脱しない範囲で、更なる変形、置換又は調整を加えることができる。なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００７７】
１  サーバ
１ａ〜１ｐ  中央演算処理装置
２  ＬＣＤ
３ａ〜３ｈ  ファン部
４ａ〜４ｈ  ルータ部
５ａ〜５ｂ  制御部
６  ビデオ部
７ａ〜７ｆ  電源部
８ａ〜８ｂ  ブランクカバー
９：リアケージ
１０、１１  取っ手
１００  バックボード
１０１  バックボード枠
１０２〜１１７  中央演算処理装置用のコネクタ
１１８〜１２５  ファン部用のコネクタ
１２６〜１３３  ルータ部用のコネクタ
１３４〜１３５  制御部用のコネクタ
１３６〜１３７  ビデオ部用のコネクタ
１３８〜１４３  電源部用のコネクタ
１４４〜１５３  ネジ
２００  脱着治具
２０１  バックボード受枠
２０２〜２０８  バックボード受台
２０９〜２１２  冶具取っ手
２１３  段差
２１４  絶縁性のゴム
２１５  バックボード受台の高さ
２１６〜２２３  バックボード枠の押さえ棒
【図１】
2015056581.tif 000003
【図２】
2015056581.tif 000004
【図３】
2015056581.tif 000005
【図４】
2015056581.tif 000006
【図５】
2015056581.tif 000007
【図６】
2015056581.tif 000008
【図７】
2015056581.tif 000009
【図８】
2015056581.tif 000010
【図９】
2015056581.tif 000011
【図１０】
2015056581.tif 000012
【図１１】
2015056581.tif 000013
【図１２】
2015056581.tif 000014
【図１３】
2015056581.tif 000015
【図１４】
2015056581.tif 000016
【図１５】
2015056581.tif 000017